(57)【要約】【課題】軽い力で荷役用パレットを簡単に搬送でき、小形で取扱いが容易であるうえ、狭い通路でも容易に搬送できるようにする。【解決手段】荷役用パレット(５)を載置可能な載置台(２)と、載置台(２)を床面の上方位置に支持する支持脚(３)と、載置台(２)に連結した移送用ハンドル(４)とを備える。支持脚(３)は搬送用キャスター(７)を備える。載置台(２)はパレット収容部(10)を備える。パレット収容部(10)は、収容底部(11)と、この収容底部(11)の幅方向両端部に立設したパレット保持部(12)とを有する。収容底部(11)は荷役用パレット(５)の厚みに略等しい幅を備える。収容底部(11)の長さ方向の両端部に、荷役用パレット(５)が出し入れされる出入口(13)を開口する。【選択図】図１
2010047327.tif 000002
【特許請求の範囲】
【請求項１】
荷役用パレット(５)を載置可能な載置台(２)と、この載置台(２)を床面(14)の上方位置に支持する支持脚(３)と、載置台(２)に連結した移送用ハンドル(４)とを備え、
上記の支持脚(３)は搬送用キャスター(７)を備え、
上記の載置台(２)は１又は複数のパレット収容部(10)を備え、
上記のパレット収容部(10)は、荷役用パレット(５)の厚みに略等しい幅を備える収容底部(11)と、この収容底部(11)の幅方向両端部に立設したパレット保持部(12)とを有し、収容底部(11)の長さ方向の少なくとも一方の端部に荷役用パレット(５)が出し入れされる出入口(13)を開口してあることを特徴とする、荷役用パレットの搬送具。
【請求項２】
上記の移送用ハンドル(４)は、上記の載置台(２)の側方に立設してある、請求項１に記載の荷役用パレットの搬送具。
【請求項３】
上記の支持脚(３)は、上記の載置台(２)の両側方にそれぞれ配設してある、請求項１または請求項２に記載の荷役用パレットの搬送具。
【請求項４】
上記の収容底部(11)は、上記の搬送用キャスター(７)の車軸(15)よりも低位置に位置させてある、請求項３に記載の荷役用パレットの搬送具。
【発明の詳細な説明】
【技術分野】
【０００１】
本発明は、荷役用パレットの搬送具に関し、さらに詳しくは、軽い力で荷役用パレットを簡単に搬送でき、小形で取扱いが容易であるうえ、狭い通路でも容易に搬送できる、荷役用パレットの搬送具に関する。
【背景技術】
【０００２】
一般に荷役用パレットは、所定厚みを備えた、平面視で矩形の板状に形成されており、木製のものや合成樹脂製のものなどがある(例えば、特許文献１参照。)。これらの荷役用パレットには、側面や下面にフォーク差込部が設けてあり、上面に多くの荷物を載置した状態で上記の差込部にフォークリフト等のフォークを差し込んで持ち上げ、この荷役用パレットごと上記の荷物を搬送するように構成してある。
【０００３】
【特許文献１】特開２００２−２６５０６０号公報
【発明の開示】
【発明が解決しようとする課題】
【０００４】
上記の荷役用パレットは、上面に載置した荷物の重量で撓まないように、例えば金属の芯材で補強するなど頑丈に形成してあり、例えば縦横の幅が１１０ｃｍ、厚みが１３ｃｍの荷役用パレットでは、重量が約２３ｋｇと重い。このため、作業者が人力で移動させる場合は、数人で抱えたり引き摺ったりしなければならず容易でない。そこで、荷物を搬送しない場合であっても、フォークリフトやハンドリフトトラックなどを使用してこれらの荷役用パレットを移動させる場合がある。しかしこれらの搬送手段は、操作が煩雑であるうえ、荷役用パレットを水平姿勢にして搬送するため、幅の広い移動経路を必要とする問題がある。
【０００５】
本発明の技術的課題は、上記の問題点を解消し、軽い力で荷役用パレットを簡単に搬送でき、小形で取扱いが容易であるうえ、狭い通路でも容易に搬送できる、荷役用パレットの搬送具を提供することにある。
【課題を解決するための手段】
【０００６】
本発明は上記の課題を解決するために、例えば、本発明の実施の形態を示す図１と図２に基づいて説明すると、次のように構成したものである。
即ち本発明は荷役用パレットの搬送具に関し、荷役用パレット(５)を載置可能な載置台(２)と、この載置台(２)を床面(14)の上方位置に支持する支持脚(３)と、載置台(２)に連結した移送用ハンドル(４)とを備え、上記の支持脚(３)は搬送用キャスター(７)を備え、上記の載置台(２)は１又は複数のパレット収容部(10)を備え、上記のパレット収容部(10)は、荷役用パレット(５)の厚みに略等しい幅を備える収容底部(11)と、この収容底部(11)の幅方向両端部に立設したパレット保持部(12)とを有し、収容底部(11)の長さ方向の少なくとも一方の端部に荷役用パレット(５)が出し入れされる出入口(13)を開口してあることを特徴とする。
【０００７】
荷役用パレットは、垂直な状態に立てて幅方向の片側を僅かに持ち上げることにより、その下方へ出入口側から差し入れた搬送具の収容底部に乗せられる。次いで、この荷役用パレットは、パレット収容部の長さ方向へ押されて収容底部上を移動し、パレット収容部の適正位置に収容される。このとき、荷役用パレットはその重心が平面視で上記の支持脚で囲まれた範囲内に位置しておればよく、荷役用パレットの一部がパレット収容部の外側にはみ出ていても良い。
【０００８】
パレット収容部に収容された荷役用パレットは、その下部が上記のパレット保持部で保持されており、パレット収容部の幅方向へ不安定に移動することがない。この状態で作業者は、必要に応じて荷役用パレットの上部を片手で支え、移動方向を操作しながら移送用ハンドルを押す。これにより、上記のキャスターの転動輪が転動し、荷役用パレットが所望位置へ搬送される。所望の位置に達すると搬送具が停止され、パレット収容部の出入口から押し出すことで荷役用パレットが降ろされる。
【０００９】
上記の移送用ハンドルは、任意の位置に設けてもよいが、上記の載置台の側方に立設してあると、荷役用搬送パレットを出入口から乗せ降ろしする際にこのハンドルが邪魔にならず、好ましい。このハンドルの高さや寸法、形状、材質などは、任意に設定することができる。
【００１０】
上記の支持脚は、上記の載置台を安定良く支持できればよく、任意の個数を任意の位置に配置できるが、載置台の両側方にそれぞれ配設してあると、この支持脚と干渉することなく上記の収容底部を任意の高さに設定でき、低く配置できるので、好ましい。この場合、その収容底部は、上記の搬送用キャスターの車軸よりも低位置に位置させてあると、乗せ降ろしの際に荷役用パレットの重量が加わっても載置台が傾きにくく、簡単に荷役用パレットの乗せ降ろし作業ができるうえ、パレット収容部に荷役用パレットを安定良く支持しながら搬送することができる。
【００１１】
上記の支持脚に設けたキャスターは、搬送具を確実に停止できるようにストッパー付きが好ましいが、このストッパーに代えて、例えば載置台に他のブレーキ手段を設けたものであってもよい。なおこのキャスターは、少なくとも一部が水平方向へ首振り旋回可能な形式のものであると、搬送具の移動方向を容易に変更できて好ましい。
【００１２】
上記のパレット収容部の幅は、荷役用パレットが安定良く収容されればよく、荷役用パレットの厚み以上の寸法であれば良いが、過剰に広いと搬送中などにパレット収容部の幅方向へ荷役用パレットが容易に移動して不安定となり易い。従って、上記の荷役用パレットの厚みと略等しい寸法とは、荷役用パレットの厚みと同じ寸法か、或いはこれに多少の余裕を加えたものをいう。
【００１３】
また上記のパレット収容部の長さは、特定の長さに限定されず、荷役用パレットを安定良く収容できる寸法以上であればよい。この長さは、前述のように荷役用パレットの幅よりも短くてもよく、この場合は搬送具を小形に形成できて好ましい。
また、上記の収容底部の長さ方向の両端部にそれぞれ出入口を設けてあると、いずれの端部の出入口からも荷役用パレットを乗せ降ろしできて好ましいうえ、パレット収容部の長さを短くした場合であっても、両出入口からそれぞれ荷役用パレットの一部をはみ出させることで、この荷役用パレットの重心位置を平面視で載置台の中央またはその近傍に位置させて安定良く収容でき、より好ましい。
【００１４】
上記のパレット保持部は、パレット収容部内の荷役用パレットの下部を収容底部に安定させて保持できればよく、特定の形状や構造のものに限定されないが、このパレット保持部を壁状に形成すると、乗せ降ろしの際に荷役用パレットをこの壁状のパレット保持部でガイドでき、乗せ降ろしを容易にできて好ましい。
【発明の効果】
【００１５】
本発明は上記のように構成され作用することから、次の効果を奏する。
(１)立てた状態の荷役用パレットを、その片側を少し持ち上げるだけで簡単にパレット収容部へ収容でき、しかも支持脚がキャスターを備えるので、移送用ハンドルを軽い力で押すだけで荷役用パレットを簡単に移動させることができ、女性など非力な作業者であっても一人で容易に荷役用パレットを搬送することができる。
【００１６】
(２)載置台に設けたパレット収容部の収容底部は、荷役用パレットの厚みに略等しい幅であり、この収容底部の長さは荷役用パレットの幅より短くてもよく、搬送具全体を小形に形成できるので、取扱いが容易であるうえ、安価に実施することができる。
【００１７】
(３)荷役用パレットを立てた状態で搬送するので、フォークリフトなどを用いて荷役用パレットを水平姿勢で搬送する場合に比べて幅の広い移動経路を必要とせず、狭い通路でも容易に搬送することができる。
【００１８】
(４)上記の収容底部は、例えばキャスターの車軸よりも低位置に位置させるなど、床面に近接させて配置でき、この場合には、乗せ降ろしの際に荷役用パレットの重量が加わっても載置台が傾きにくく、簡単に荷役用パレットの乗せ降ろし作業ができるうえ、パレット収容部に荷役用パレットを安定良く支持しながら搬送することができる。
【発明を実施するための最良の形態】
【００１９】
以下、本発明の実施の形態を図面に基づき説明する。
図１と図２は本発明の実施形態を示し、図１は荷役用パレットの搬送具の斜視図、図２は載置台近傍の拡大断面図である。
【００２０】
図１に示すように、この荷役用パレットの搬送具(１)は、樋状に形成したステンレス製載置台(２)と、この載置台(２)を床面の上方位置に支持する４つの支持脚(３)と、載置台(２)に連結した移送用ハンドル(４)とを備える。荷役用パレット(５)は、図１の仮想線に示すように、立てた状態で上記の載置台(２)上に載置される。
【００２１】
上記の移送用ハンドル(４)は、上記の載置台(２)の側方に立設してあり、その下端部を載置台(２)の側面に固定部材(６)を介して固定してある。
一方、上記の支持脚(３)は、上記の載置台(２)の両側方へ、それぞれ２個ずつ張り出すように固設してあり、この張り出した支持脚(３)の下面にそれぞれ搬送用キャスター(７)が付設してある。このキャスター(７)はそれぞれ水平方向に首振り旋回可能であり、さらに転動輪(８)を、回転可能状態と回転不能状態とに切換可能なストッパー(９)を備えている。
【００２２】
図１と図２に示すように、上記の載置台(２)には１つのパレット収容部(10)が形成してある。このパレット収容部(10)は、収容底部(11)とその幅方向両端部に立設したパレット保持部(12)とを備える。この収容底部(11)は、上記の荷役用パレット(５)の厚みに略等しい幅と、この荷役用パレット(５)の幅よりも短い長さに形成してあり、長さ方向両端部には、それぞれ荷役用パレット(５)が出し入れされる出入口(13)が開口してある。
【００２３】
図２に示すように、上記の収容底部(11)は、上記の支持脚(３)で床面(14)の上方位置に支持してあるが、上記のキャスター(７)の車軸(15)よりも低位置に位置させてある。例えば、この収容底部(11)は床面から１０ｍｍ程度の位置に配置してあり、このため上記の荷役用パレット(５)は、立てた状態で片側を僅かに持ち上げるだけで、搬送具(１)を傾けることなく簡単にパレット収容部(10)へ乗せることができ、或いはこのパレット収容部(10)から簡単に降ろすことができる。
【００２４】
次に、上記の搬送具で荷役用パレットを搬送する場合について説明する。
最初に、荷役用パレット(５)を垂直な状態に立て、幅方向の片側を僅かに持ち上げて、その下方に上記の搬送具(１)のパレット収容部(12)を、上記の一方の出入口(13)側から差し入れて、収容底部(11)に荷役用パレット(５)の片側を乗せる。次いで、この荷役用パレット(５)をパレット保持部(12)の内面でガイドさせながら押し込んで収容底部(11)上を移動させ、荷役用パレット(５)の重心を平面視でパレット収容部(10)の略中央に、即ち上記の支持脚(３)で囲まれた範囲内に位置させる。このとき、収容底部(11)は荷役用パレット(５)の幅よりも短いので、この荷役用パレット(５)の両側部は、上記の両出入口(13)からそれぞれ外側にはみ出た状態となっている。
【００２５】
上記のパレット収容部(10)に収容された荷役用パレット(５)は、その下部が上記のパレット保持部(12)で保持されており、作業者は荷役用パレット(５)の上部を片手で支えた状態で、移動方向を操作しながら移送用ハンドル(４)を押していく。これにより、上記のキャスター(７)の転動輪(８)が転動して、この搬送具(１)により荷役用パレット(５)が所望位置へ搬送される。所望の位置に達すると搬送具(１)を停止し、必要に応じてキャスター(７)のストッパー(９)を停止作動させ、パレット収容部(10)の出入口(13)から押し出すことで荷役用パレット(５)が床面(14)上に降ろされる。
【００２６】
上記の実施形態で説明した荷役用パレットの搬送具は、本発明の技術的思想を具体化するために例示したものであり、各部材の形状や寸法、材質、構造や配置、個数などを、この実施形態のものに限定するものではなく、本発明の特許請求の範囲内において種々の変更を加え得るものである。
【００２７】
例えば、上記の実施形態では、載置台が１つのパレット収容部を備えるものについて説明したが、本発明では複数のパレット収容部を備えるものであってもよい。また、上記の実施形態では支持脚を載置台の両側に２個ずつ設けたが、本発明では３個ずつなど異なる個数を設けたものであってもよい。
なお、本発明の搬送具で搬送できる上記の荷役用パレットは、合成樹脂製のものであってもよく、或いは木製のものなど、他の材質のものであってもよいことは、いうまでもない。
【産業上の利用可能性】
【００２８】
本発明の荷役用パレットの搬送具は、軽い力で荷役用パレットを簡単に搬送でき、小形で取扱いが容易であるうえ、狭い通路でも容易に搬送できるので、特に建物内や構内での空の荷役用パレットの搬送に好適であるが、他の作業現場での荷役用パレットの搬送にも好適である。
【図面の簡単な説明】
【００２９】
【図１】本発明の実施形態を示す、荷役用パレットの搬送具の斜視図である。
【図２】本発明の実施形態の、載置台近傍の拡大断面図である。
【符号の説明】
【００３０】
１…搬送具
２…載置台
３…支持脚
４…移送用ハンドル
５…荷役用パレット
７…キャスター
10…パレット収容部
11…収容底部
12…パレット保持部
13…出入口
14…床面
15…車軸
【図１】
2010047327.tif 000003
【図２】
2010047327.tif 000004